(57)【特許請求の範囲】
【請求項１】
海岸保全構造物と、海岸保全構造物の背後に海岸保全構造物に続き形成された人工磯根とからなる水産資源増養殖型構造物において、人工磯根が、石材を積み重ねて形成された基礎と、塊状物が詰め込まれたブロック基部の前半上面に箱形格子枠を突設して藻付着部を構成した箱形格子状法ブロックとからなり、箱形格子状法ブロックの藻付着部が岸側に位置し、藻付着部の後端面に次段の箱形格子状法ブロックの先端面が接し、岸に向かって下り勾配となるようにして次段の箱形格子状法ブロックが前段の箱形格子状法ブロックのブロック基部および基礎上に階段状に載置されていることを特徴とする水産資源増養殖型構造物。
【請求項２】
海岸保全構造物と、海岸保全構造物の背後に海岸保全構造物に続き形成された人工磯根とからなる水産資源増養殖型構造物において、人工磯根が、石材を積み重ねて形成された平坦な天端基礎と、岸に向かって下り勾配となるようにして石材を積み重ねて形成された法部基礎と、塊状物が詰め込まれたブロック基部の上面に複数の棒状材を配設して藻付着部が設けられた箱形格子状天端上面ブロックと、塊状物が詰め込まれたブロック基部の前半上面に箱形格子枠を突設して藻付着部を構成する箱形格子状法ブロックとからなり、箱形格子状天端上面ブロックが天端基礎上に敷き詰められ、箱形格子状法ブロックの藻付着部が岸側に位置し、藻付着部の後端面に次段の箱形格子状法ブロックの先端面が接して岸に向かって下り勾配となるようにして次段の箱形格子状法ブロックが前段の箱形格子状法ブロックのブロック基部および法部基礎上に階段状に載置されていることを特徴とする水産資源増養殖型構造物。
【請求項３】
次の工程からなる、請求項１記載の水産資源増養殖型構造物の構築方法。
（イ）  洗掘防止ブロックを岸から所要の距離をおき、岸に沿って配列する第１工程
（ロ）  箱形格子状法ブロックの先端面が洗掘防止ブロックの後端面に接するようにして、箱形格子状法ブロックを配列する第２工程
（ハ）  箱形格子状法ブロックの高さまで石材を海底に積み重ねて基礎の底部を形成する第３工程
（ニ）  第２工程で配列した前段の箱形格子状法ブロックの藻付着部の後端面に次段の箱形格子状法ブロックのブロック基部の先端面が接するようにして次段の箱形格子状法ブロックを前段の箱形格子状法ブロックのブロック基部および第３工程で積み重ねた石材の上に載置する第４工程
（ホ）  第３工程で積み重ねた石材の上に、第４工程で積み重ねた箱形格子状法ブロックの高さまで石材を積み重ねる第５工程
（ヘ）  上記第４工程と第５工程とを繰り返して、所要の高さまで箱形格子法ブロックを積み重ねる第６工程
【請求項４】
次の工程からなる、請求項２記載の水産資源増養殖型構造物の構築方法。
（イ）  洗掘防止ブロックを岸から所要の距離をおき、岸に沿って配列する第１工程
（ロ）  箱形格子状法ブロックの先端面が洗掘防止ブロックの後端面に接するようにして箱形格子状法ブロックを配列する第２工程
（ハ）  第２工程で配列した箱形格子状法ブロックの高さまで石材を海底に積み重ねて基礎の底部を形成する第３工程
（ニ）  第２工程で配列した前段の箱形格子状法ブロックの藻付着部の後端面に次段の箱形格子状法ブロックのブロック基部の先端面が接するようにして次段の箱形格子状法ブロックを前段の箱形格子状法ブロックのブロック基部および第３工程で積み重ねた石材の上に載置する第４工程
（ホ）  第３工程で積み重ねた石材の上に、第４工程で積み重ねた箱形格子状法ブロックの高さまで石材を積み重ねる第５工程
（ヘ）  上記第４工程および第５工程を繰り返して、所要の高さまで箱形格子状法ブロックを積み重ねる第６工程
（ト）  最上段の箱形格子状法ブロックの藻付着部の後端面に箱形格子状天端上面ブロックの先端面が接するようにして箱形格子状天端上面ブロックを基礎上に載置し、ついで順次前方の箱形格子状天端上面ブロックの後端面に後方の箱形格子状天端ブロックの先端面が接するようにして基礎上に箱形格子状天端上面ブロックを敷き詰める第７工程
【発明の詳細な説明】
【０００１】
【発明の属する技術分野】
この発明は、海岸保全構造物の背後に人工磯根が構築された水産資源増養殖型構造物、およびその構造物の構築方法に関する。
【０００２】
この発明の水産資源増養殖型構造物は、魚介類、のり、昆布などの増養殖に利用される。
【０００３】
【従来の技術】
海岸保全構造物として、たとえば離岸堤、潜堤、防波堤および人工リーフなどが知られており、これらは沖波の消波や越波防止を行い、後背海岸の砂浜の保護や海岸線、港湾の保全に寄与している。具体的には、石材を詰め込んだ箱形枠を積み重ねて構築した離岸堤（たとえば、実開昭５２−５０８２４号公報参照）、水中のマウンド盛土の法面を石材を詰めた箱形枠で被覆した離岸堤（特開平６−２３１８号公報参照）等が知られている。
【０００４】
また、魚介類を増養殖する目的の増殖礁が、多く提案されている。それらの一つとして、石材を詰め込んだ多数の箱形鋼製枠を積み重ねて増殖礁を構築するもの（実開昭５８−５３９７７号公報参照）がある。
【０００５】
沿岸漁業資源の枯渇問題が叫ばれて久しいが、近年水産資源の増養殖のために、港湾設備に単に港湾機能だけでなく、人工磯根を設けることが検討されている。たとえば、離岸堤の背後に石材を積み重ねて人工磯根とし、そこで魚介類、のり、昆布などを増養殖する。人工磯根は、離岸堤で波浪が遮られるので、静穏であり、また適当な強さの海水の流れがある。このため、積石などに藻の胞子が付着し、成長して藻場となり、魚介類の産卵場、あるいは餌場となる。
【０００６】
【発明が解決しようとする課題】
上記したように、海岸近隣での有用魚介類の磯根漁業資源増大の必要性、およびそれら魚介類の捕獲の容易さが、これからの沿岸漁業資源の増養殖上の大きな課題となってきている。
【０００７】
この発明は、稚魚や稚貝などを効率よく増養殖でき、長期間の使用に耐え、経済的かつ容易に構築することができる水産資源増養殖型構造物、およびその構造物の構築方法を提供しようとするものである。
【０００８】
【課題を解決するための手段】
第１発明の水産資源増養殖型構造物は、海岸保全構造物と、海岸保全構造物の背後に海岸保全構造物に続き形成された人工磯根とからなる水産資源増養殖型構造物において、人工磯根が、石材を積み重ねて形成された基礎と、塊状物が詰め込まれたブロック基部の前半上面に箱形格子枠を突設して藻付着部を構成する箱形格子状法ブロックとからなっている。箱形格子状法ブロックは藻付着部が岸側に位置し、藻付着部の後端面に次段の箱形格子状法ブロックの先端面が接し、岸に向かって下り勾配となるようにして次段の箱形格子状法ブロックが前段の箱形格子状法ブロックのブロック基部および基礎上に階段状に載置されている。
【０００９】
第２発明の水産資源増養殖型構造物は、海岸保全構造物と、海岸保全構造物の背後に海岸保全構造物に続き形成された人工磯根とからなる水産資源増養殖型構造物において、人工磯根が、石材を積み重ねて形成された平坦な天端基礎と、岸に向かって下り勾配となるようにして石材を積み重ねて形成された法部基礎と、塊状物が詰め込まれたブロック基部の上面に複数の棒状材を配設して藻付着部が設けられた箱形格子状天端上面ブロックと、塊状物が詰め込まれたブロック基部の前半上面に箱形格子枠を突設して藻付着部を構成する箱形格子状法ブロックとからなっている。箱形格子状天端上面ブロックは天端基礎上に敷き詰められている。箱形格子状法ブロックは藻付着部が岸側に位置し、藻付着部の後端面に次段の箱形格子状法ブロックの先端面が接して岸に向かって下り勾配となるようにして次段の箱形格子状法ブロックが前段の箱形格子状法ブロックのブロック基部および法部基礎上に階段状に載置されている。
【００１０】
上記のように構成された水産資源増養殖型構造物において、天端は、藻の成長に必要な日光が届く水深、たとえば５〜６ｍが適当である。また、箱形格子状天端上面ブロックと、基部だけからなるブロックとを千鳥状に配置して、天端面を凹凸に形成してもよい。法部の岸側の最先端部に、洗堀防止ブロックを設けることが望ましい。洗堀防止ブロックは、法部先端部分の海底が海水により洗い流されて、法部が崩壊するのを防ぐ。
【００１１】
第１発明の上記水産資源増養殖型構造物の構築方法は、次の工程からなっている。
（イ）  洗掘防止ブロックを岸から所要の距離をおき、岸に沿って配列する第１工程
（ロ）  箱形格子状法ブロックの先端面が洗掘防止ブロックの後端面に接するようにして、箱形格子状法ブロックを配列する第２工程
（ハ）  箱形格子状法ブロックの高さまで石材を海底に積み重ねて基礎の底部を形成する第３工程
（ニ）  第２工程で配列した前段の箱形格子状法ブロックの藻付着部の後端面に次段の箱形格子状法ブロックのブロック基部の先端面が接するようにして次段の箱形格子状法ブロックを前段の箱形格子状法ブロックのブロック基部および第３工程で積み重ねた石材の上に載置する第４工程
（ホ）  第３工程で積み重ねた石材の上に、第４工程で積み重ねた箱形格子状法ブロックの高さまで石材を積み重ねる第５工程
（へ）  上記第４工程と第５工程とを繰り返して、所要の高さまで箱形格子法ブロックを積み重ねる第６工程
【００１２】
第２発明の上記水産資源増養殖型構造物の構築方法は、次の工程からなっている。
（イ）  洗掘防止ブロックを岸から所要の距離をおき、岸に沿って配列する第１工程
（ロ）  箱形格子状法ブロックの先端面が洗掘防止ブロックの後端面に接するようにして箱形格子状法ブロックを配列する第２工程
（ハ）  第２工程で配列した箱形格子状法ブロックの高さまで石材を海底に積み重ねて基礎の底部を形成する第３工程
（ニ）  第２工程で配列した前段の箱形格子状法ブロックの藻付着部の後端面に次段の箱形格子状法ブロックのブロック基部の先端面が接するようにして次段の箱形格子状法ブロックを前段の箱形格子状法ブロックのブロック基部および第３工程で積み重ねた石材の上に載置する第４工程
（ホ）  第３工程で積み重ねた石材の上に、第４工程で積み重ねた箱形格子状法ブロックの高さまで石材を積み重ねる第５工程
（へ）  上記第４工程および第５工程を繰り返して、所要の高さまで箱形格子状法ブロックを積み重ねる第６工程
（ト）  最上段の箱形格子状法ブロックの藻付着部の後端面に箱形格子状天端上面ブロックの先端面が接するようにして箱形格子状天端上面ブロックを基礎上に載置し、ついで順次前方の箱形格子状天端上面ブロックの後端面に後方の箱形格子状天端ブロックの先端面が接するようにして基礎上に箱形格子状天端上面ブロックを敷き詰める第７工程
【００１３】
上記水産資源増養殖型構造物構築を、既設の海岸保全構造物の背後に人工磯根を構築するようにしてもよい。
【００１４】
海岸保全構造物を回り込んできた海水、あるいは海岸保全構造物を構成する箱形格子状天端上面ブロックや箱形格子状法ブロックの間隙を通過して人工磯根にきた海水は、海岸保全構造物により波浪が弱められて静穏な流れとなる。人工磯根に流れ込んだ海水は、人工磯根に新鮮な海水を供給するとともに、藻類や魚介類を運び込む。運ばれてきた藻類は、天端および法部の藻付着部や詰石、あるいは基礎の積み石に付着し、成長する。人工磯根は、藻の繁殖により魚介類の生息場、餌場、産卵場となり、内海あるいは外海からきた魚介類が人工磯根に定着し、繁殖する。石材の隙間は、魚介類の隠れ家、あるいはすみかとなる。人工磯根は海水が新鮮かつ流れが静穏であり、また天端および法部に藻付着部が設けられているので藻が繁殖しやすい。このため、稚魚、稚貝の生存率は高まる。
【００１５】
この発明では、石材を積み重ねた基礎の表面に、箱形格子状天端上面ブロックや箱形格子状法ブロックを敷き詰め、あるいは積み重ねる。石材はこれらブロックに比べ廉価であるので、水産資源増養殖型構造物を経済的に構築することができる。箱形格子状法ブロックを積み重ねたのちに、これらブロックの高さまで石材を積み重ねて基礎を順次形成して行くので、積み重ねた石材のレベルが出しやすく、基礎の構築が容易となる。また、法部において、箱形格子状法ブロックのブロック基部の前半上部に藻付着部が突出し、岸側に位置する藻付着部の後端面に後段の箱形格子状法ブロックの先端面が接するようにして基礎上に階段状に載置されている。したがって、激しい波浪にさらされても、箱形格子状法ブロックが前後にずれにくく、法部は強固である。さらに、施工時の箱形格子状法ブロックの位置決め施工が正確かつ容易となり、水産資源増養殖型構造物の構築が容易となる。
【００１６】
【発明の実施の形態】
（第１発明の実施の形態）
図１は、この発明の水産資源増養殖型構造物の一例を示している。水産資源増養殖型構造物は、主として基礎１２、海岸保全構造物２１、および人工磯根５１とからなっている。
【００１７】
基礎１２は、中割石１３を海底１１に積み重ねて構築されている。基礎１２は、海岸保全構造物基礎１４からなっている。海岸保全構造物基礎１４は、沖に向かって傾斜する先端部１４ａに、平坦部１４ｂが続いている。
【００１８】
海岸保全構造物２１は、多数のテトラポッド形ブロック２２を海岸保全構造物基礎１４の上に積み重ねて構築されている。
【００１９】
海岸保全構造物２１の背後に海岸保全構造物２１に続いて人工磯根５１が設けられている。人工磯根５１は法となっている。人工磯根５１は、海岸保全構造物基礎１４に続いて岸に向かって階段状に下り勾配となった法部基礎１８の上に、箱形格子状法ブロック５２を載置して構成されている。
【００２０】
箱形格子状法ブロック５２は、図２に示すように角鋼管製の角柱５４で骨組みが構成され、丸鋼５５で補強された箱形格子状のブロック基部５３を備えている。ブロック基部５３の前半部の角柱５４は、上方に突出している。角柱５４の突出した部分の頂部および中間部に丸鋼からなる格子５８が取り付けられており、藻付着部５７が形成されている。箱形格子状法ブロック５２は、全体として階段状をしている。ブロック基部５３には、石材６０が詰め込まれている。
【００２１】
図３は、箱形格子状法ブロックの他の例を示している。箱形格子状法ブロックは、藻付着部６３の中間部に格子がなく、石材６０が詰め込まれている。
【００２２】
図１に示すように、箱形格子状法ブロック５２は、藻付着部５７が岸側に位置するように配置されている。そして、藻付着部５７の後端面が後段の箱形格子状法ブロック５２の先端面が接するようにして、箱形格子状法ブロック５２が階段状に法部基礎１８上に載置され、人工磯根５１が形成される。隣り合う箱形格子状法ブロック５２の側面も互いに接している。
【００２３】
洗堀防止ブロック４５が、最下段の箱形格子状法ブロックの先端部に接するようにして設けられている。洗堀防止ブロック４５は、先端部が岸に向かって傾斜し、箱形格子状に形成され、石材（図示しない）が詰め込まれている。洗堀防止ブロック４５は、人工磯根５１の先端部分の海底１１が海水により洗い流されて、人工磯根５１が崩壊するのを防ぐ。
【００２４】
上記のように構成された水産資源増養殖型構造物は、次のようにして構築される。
洗掘防止ブロック４５を岸から所要の距離をおき、岸に沿って配列する。箱形格子状法ブロック５２の先端面が洗掘防止ブロック４５の後端面に接するようにして、箱形格子状法ブロック５２を配列し、箱形格子状法ブロック５２のブロック基部５３の高さまで石材１３を海底１１に積み重ねて基礎１２の底部を形成する。上記のように配列した前段の箱形格子状法ブロック５２の藻付着部５７の後端面に次段の箱形格子状法ブロック５２のブロック基部５３の先端面が接するようにして、次段の箱形格子状法ブロック５２を前段の箱形格子状法ブロック５２のブロック基部５３および基礎１２の底部の上に載置する。上記次段の箱形格子状法ブロック５２の高さまで石材１３を積み重ねる。箱形格子状法ブロック５２およびで石材１３の積重ねを繰り返して、これらを所要の高さまで積み重ねて人工磯根５１を形成する。
【００２５】
上記のように構成された水産資増養殖型構造物において、海岸保全構造物２１を回り込んできた海水、あるいは海岸保全構造物２１を構成するブロック２２の間隙を通過して人工磯根５１にきた海水は、海岸保全構造物２１により波浪が弱められて静穏な流れとなる。人工磯根５１に流れ込んだ海水は、人工磯根５１に新鮮な海水を供給するとともに、藻類や魚介類を運び込む。運ばれてきた藻類は、箱形格子状法ブロック５２、６２の藻付着部５７、６３や石材６０、あるいは基礎１２の積み石１３に付着し、成長する。人工磯根５１は、藻の繁殖により魚介類の生息場、餌場、産卵場となり、内海あるいは外海からきた魚介類が人工磯根５１に定着し、繁殖する。石材６０の隙間は、魚介類の隠れ家、あるいはすみかとなる。なお、人工ふ化した稚魚や稚貝を人工磯根５１に放流するようにしてもよい。
【００２６】
（第２発明の実施の形態）
図４は、第２発明の水産資源増養殖型構造物の例を示している。図１に示す部材と同様の部材については同一の参照符号を付け、その説明は省略する。
【００２７】
海岸保全構造物２１の背後に海岸保全構造物２１に続いて人工磯根６５が設けられている。人工磯根６５は、天端６６と法部６７とからなっている。
【００２８】
天端６６は、隣り合う箱形格子状天端上面ブロック２６どうしが互いに接するようにして、天端基礎１６の表面に敷き詰められて構成されている。箱形格子状天端上面ブロック２６は、図５に示すように角鋼管３０で骨組みが構成され、丸鋼３１で補強された箱形格子状のブロック基部２９を備えている。アーチ状に湾曲した多数の藻付着棒３３を、ブロック基部２９の頂部に取り付けて、藻付着部３２を形成している。ブロック基部２９内に塊状物として、割石などの石材３４を詰め込んでいる。法部６７は、天端６６に続いて設けられており、法部基礎１８に箱形格子状法ブロック５２が階段状に載置されている。
【００２９】
図６は、箱形格子状天端上面ブロックの他の例を示している。図６に示す箱形格子状天端上面ブロック２７は、ブロック基部２９の上部に箱形格子状の藻付着部３６が設けられている。ブロック基部２９内に石材３４が詰め込まれており、藻付着部３６の頂部、中間部および底部にそれぞれ格子枠３７が取り付けられている。
【００３０】
上記のように構成された水産資源増養殖型構造物は、次のようにして構築される。
洗掘防止ブロック４５を岸から所要の距離をおき、岸に沿って配列する。箱形格子状法ブロック５２の先端面が洗掘防止ブロック４５の後端面に接するようにして箱形格子状法ブロック５２を配列し、その箱形格子状法ブロック５２の高さまで石材１３を海底１１に積み重ねて基礎１２の底部を形成する。上記のように配列した前段の箱形格子状法ブロック５２の藻付着部５７の後端面に次段の箱形格子状法ブロック５２のブロック基部５３の先端面が接するようにして、次段の箱形格子状法ブロック５２を前段の箱形格子状法ブロック５２のブロック基部５３および上記基礎１２の底部の上に載置する。上記次段の箱形格子状法ブロック５２の高さまで、石材１３を基礎１２の底部の上に積み重ねる。箱形格子状法ブロック５２および石材１３の積重ねを繰り返して、これらを所要の高さまで積み重ねる。最上段の箱形格子状法ブロック５２の藻付着部５７の後端面に箱形格子状天端上面ブロック２６の先端面が接するようにして箱形格子状天端上面ブロック２６を天端基礎１６上に載置し、ついで順次前方の箱形格子状天端上面ブロック２６の後端面に後方の箱形格子状天端ブロック２６の先端面が接するようにして天端基礎１６上に箱形格子状天端上面ブロック２６を敷き詰める。
【００３１】
【実施例】
実施例を、第２発明の水産資源増養殖型構造物について説明する。
海岸保全構造物２１は岸から約５０ｍ離れており、基礎１２の高さは海岸保全構造物２１の部分で約８ｍである。基礎１２に用いられる石材１３は、１個当たり３０〜３００ｋｇの中割石である。海岸保全構造物２１の高さは海底１１から約２０ｍ（海面から約６ｍ）であり、岸に沿う方向の長さは約１００ｍである。また、海岸保全構造物２１の前後の勾配は１／１．５である。箱形格子状天端ブロック２６の底面は３×３ｍの正方形で、ブロック基部２９の高さは１ｍ、藻付着部３２の高さは０．５ｍである。天端６６の水深は約５メートルであり、幅（岸に向かう方向の幅）は約１５ｍである。箱形格子状法ブロック５２の底面は３×３ｍの正方形で、ブロック基部５３の高さは１ｍ、藻付着部５７の高さは０．５ｍである。法部６７の勾配は１／２である。海岸保全構造物２１から岸側に向かって約１６ｍおいて、洗掘防止ブロック４５が海岸保全構造物２１に沿うように配列されている。洗掘防止ブロック４５の底面は３×３ｍの正方形で、高さは１ｍである。
【００３２】
【発明の効果】
この発明では、人工磯根の海水が新鮮かつ流れが静穏であり、また天端および法部に藻付着部が設けられているので、藻が繁殖しやすい。このため、稚魚、稚貝の生存率は高まる。また、法ブロックが前後にずれにくく、法部は強固であり、施工時に法ブロックの位置決め施工が正確かつ容易である。したがって、強固な、耐久性のある水産資源増養殖型構造物を容易に構築することができる。
【００３３】
この発明のブロックは鋼製の箱形格子枠構造となっていることから、中詰め材に使用する石材等の塊状物の寸法に自由度があり、比較的小さい寸法の石材であっても格子枠で拘束でき、海中における増養殖構造物として必要な重量、強度、形状を経済的に製作できる。
【図面の簡単な説明】
【図１】  第１発明の水産資源増養殖型構造物の一例を示す斜視図である。
【図２】  図１に示す水産資源増養殖型構造物に用いられる箱形格子状法ブロックの斜視図である。
【図３】  箱形格子状法ブロックの他の例を示す斜視図である。
【図４】  第２発明の水産資源増養殖型構造物の一例を示す斜視図である。
【図５】  図４に示す水産資源増養殖型構造物に用いられる箱形格子状天端上面ブロックの斜視図である。
【図６】  箱形格子状天端上面ブロックの他の例を示す斜視図である。
【符号の説明】
１１  海底
１２  基礎
２１  海岸保全構造物
２６  箱形格子状天端上面ブロック
２７  箱形格子状天端上面ブロック
２９  ブロック基部
３４  石材
３２  藻付着部
３６  藻付着部
５１  人工磯根
５２  箱形格子状法ブロック
５３  ブロック基礎
５７  藻付着部
６２  箱形格子状法ブロック
６５  人工磯根
６６  天端
６７  法部
【図１】
0003677323.tif 000002
【図２】
0003677323.tif 000003
【図３】
0003677323.tif 000004
【図４】
0003677323.tif 000005
【図５】
0003677323.tif 000006
【図６】
0003677323.tif 000007
【図７】
0003677323.tif 000008
【図８】
0003677323.tif 000009